(57)【特許請求の範囲】
【請求項１】
培養土塊と培養土塊収容容器及び表示シートで構成される栽培セットであって、
前記培養土塊収容容器は、容器本体とこの容器本体に閉止される開閉可能な前記蓋体とで構成され、
前記容器本体には、前記培養土塊を収容可能であって前記培養土塊の幅よりも広い苗床部が複数設けられるとともに、前記苗床部同士を結ぶ連結溝が形成され、かつ苗床部を識別する苗床部側識別表示が設けられ、
前記培養土塊は、培養土を圧縮して固められその表面に種子を接着してなり、前記各苗床部に収容され、
前記表示シートは、前記蓋体が前記容器本体に閉止された培養土塊収容容器内において前記苗床部上に配置され、前記培養土塊の収容位置に対応して当該培養土塊に接着されている種子の種類を表示する複数の表示部を有するとともに、各表示部に、前記苗床部側識別表示と一致する表示部側識別表示が設けられていることを特徴とする栽培セット。
【発明の詳細な説明】
【０００１】
【発明の属する技術分野】
本発明は、花卉栽培での苗作りに使用する栽培セットに関する。
【０００２】
【従来の技術】
従来、花卉栽培での苗作りは、種子と培養土と鉢を用意し、培養土を鉢に入れて播種を行う作業から始める。
【０００３】
【発明が解決しようとする課題】
しかしながら、播種は細かい作業であるため、苗作りに手間がかかり、結果として手軽に花卉栽培を行うことが難しかった。
【０００４】
本発明は、かかる従来の課題に鑑みてなされたものであり、手軽に花卉栽培を行うことのできる栽培セットを提供することを目的とする。
【０００５】
【課題を解決するための手段】
前記課題を解決するために本発明は、培養土塊と培養土塊収容容器及び表示シートで構成される栽培セットであって、前記培養土塊収容容器は、容器本体とこの容器本体に閉止される開閉可能な前記蓋体とで構成され、前記容器本体には、前記培養土塊を収容可能であって前記培養土塊の幅よりも広い苗床部が複数設けられるとともに、前記苗床部同士を結ぶ連結溝が形成され、かつ苗床部を識別する苗床部側識別表示が設けられ、前記培養土塊は、培養土を圧縮して固められその表面に種子を接着してなり、前記各苗床部に収容され、前記表示シートは、前記蓋体が前記容器本体に閉止された培養土塊収容容器内において前記苗床部上に配置され、前記培養土塊の収容位置に対応して当該培養土塊に接着されている種子の種類を表示する複数の表示部を有するとともに、各表示部に、前記苗床部側識別表示と一致する表示部側識別表示が設けられていることを特徴とする。
【０００６】
従って、前記培養土塊を用いて苗作りを行う際に播種が不要となる。また、限られた数の中で多くの種類の花卉を栽培したい場合には、栽培したい花卉の種子が接着された各種の培養土塊を必要な分だけそれぞれ購入する。また、前記培養土塊に種子を容易に視認できるように接着している。
【０００７】
また、培養土塊収容容器においては、前記培養土塊を収容可能な苗床部を複数設けたものとしている。
【０００８】
従って、前記培養土塊を収容して苗作りを行う。また、それぞれ種類の異なる種子が接着された各培養土塊を、前記各苗床部に各々収容することができる。
【０００９】
また、培養土塊収容容器においては、前記苗床部の幅が、前記培養土塊の幅よりも広いものとしている。
【００１０】
従って、前記苗床部と前記培養土塊との隙間から水やりを行うことにより、前記苗床部一面に水を張ることができる。また、水やり後に培養土塊が水を吸って膨張しても、隙間があることにより苗床部の外に出てしまう恐れがなくなる。
【００１１】
また、培養土塊収容容器においては、隣合う前記苗床部との間に、前記苗床部同士を結ぶ連結溝を形成したものとしている。
【００１２】
従って、前記複数の苗床部の中で任意の一つの苗床部に水やりを行うことにより、全ての苗床部に水が行き渡る。
【００１３】
また、培養土塊収容容器においては、前記培養土塊収容容器が、前記苗床部を形成した容器本体と、前記苗床部を覆う開閉可能な蓋体とから構成されているものとしている。
【００１４】
従って、前記蓋体を閉じることにより、前記苗床部に収容される前記培養土塊が前記苗床部にしっかりと位置される。さらに、外部からの衝撃を抑えるとともに、外気を遮断する。
【００１５】
また、前記培養土塊収容容器の前記苗床部に、前記培養土塊を収容したものとしている。
【００１６】
従って、水やりだけで苗作りをすぐに行うことができる。
【００１７】
また、前記培養土塊の収容位置に対応して配置されるとともに、前記培養土塊に接着されている前記種子の種類を表示する複数の表示部を有する表示シートが設けられたものとしている。
【００１８】
従って、前記表示シートにより、前記培養土塊の収容位置と前記培養土塊に接着されている前記種子の種類との対応関係を認識することができる。
【００１９】
また、前記培養土塊収容容器に、前記各苗床部を識別する苗床部側識別表示を設け、前記各苗床部に対応する前記各表示部に、前記苗床部側識別表示と一致する表示部側識別表示とを設けたものとしている。
【００２０】
従って、前記培養土塊の収容位置と前記培養土塊に接着されている前記種子の種類との対応関係を認識する手段が増える。
【００２１】
【発明の実施の形態】
以下、本発明の一実施の形態を図にしたがって説明する。図１は本発明の一実施の形態を示すパンジー１２種栽培セット１の構成を示す平面図である。栽培セット１は、培養土塊収容容器２と培養土塊３と表示シート４とから構成されている。
【００２２】
図２は、培養土塊収容容器２の拡大図であり、図３は図２のＡ−Ａ断面図である。培養土塊収容容器２は、透明な材質からなる四角形のトレイ状であり、一体成形された容器本体５と蓋体６とから構成されている。
【００２３】
容器本体５の中央部分には栽培面７が設けられており、栽培面７上には、縦横に等間隔に形成された、培養土塊３を収容するための収容凹部８ａを有する１２個の苗床部８が設けられている。
【００２４】
収容凹部８ａの幅は、培養土塊３の幅よりも広く、収容凹部８ａと培養土塊３との間には、隙間８ｃが形成されている。各収容凹部８ａの左上部、つまり各苗床部８には、各苗床部８を識別する苗床部識別表示８ｂとして、数字の１〜１２がエンボス加工されて設けられている。そして、隣合う収容凹部８ａとの間には収容凹部８ａ同士をつなぐ直線の連結溝９が形成されている。
【００２５】
栽培面７の四隅には、本体穴１０がそれぞれ形成されている。栽培面７の外側には、本体突起部１１が形成されている。容器本体５の上部には、取っ手部１２が設けられており、取っ手部１２の中央には引っかけ穴１３が形成されている。
【００２６】
蓋体６には、本体穴１０と本体突起部１１の設置位置に対応して蓋体突起１４と蓋体溝１５がそれぞれ形成されている。
【００２７】
図４は、培養土塊３の斜視図である。培養土塊３は、培養土を圧縮して固めて円柱型に成形したものであり、表面３ａに複数のパンジーの種子３ｂが接着されて播種済みの状態である。また、接着されているパンジーの種類は各培養土塊３毎にそれぞれ異なっている。
【００２８】
図５は、表示シート４の拡大図である。表示シート４は紙製で、大きさは培養土塊収容容器２の栽培面７よりやや小さい。表示シート４には、培養土塊３が収容される培養土塊収容容器２の苗床部８の収容凹部８ａの位置に対応して配置されるとともに、培養土塊３に接着されているパンジーの種子の種類を表示する１２個の表示部４ａが設けられている。
【００２９】
各表示部４ａには、各種のパンジーの写真と種類名が印刷された各表示図４ｂと、表示図４ｂの下に、培養土塊収容容器２の苗床部８の苗床側識別表示８ｂと一致する数字の１〜１２が印刷された表示部側識別表示４ｃと、表示部側識別表示４ｃの下に、パンジーの種類名が印刷された表示名４ｄとが設けられている。
【００３０】
かかる構成においては、使用前の栽培セット１は、まず１２種類のパンジーの種子３ｂが種類毎に接着されている各培養土塊３が、種子３ｂが接着されている表面３ａを上にして、培養土塊収容容器２の苗床部８の各収容凹部８ａにそれぞれ収容されている。
【００３１】
このため、この栽培セット１だけで、１２種類で多色のパンジーを一度に手軽に栽培できる。また、種類別に売られているパンジーの種子袋をそれぞれ購入して栽培する場合に比べて種子を無駄にしなくて済み、費用をあまりかけずに多種類で多色の花卉を一度に手軽に栽培することができる。
【００３２】
そして、培養土塊収容容器２に収容されている培養土塊３の収容状態は、例えば、表示シート４の表示部４ａの表示部側識別表示４ｃ（数字の１）と一致する苗床部側識別表示８ｂ（数字の１）が設けられている培養土塊収容容器２の苗床部８の収容凹部８ａに、表示部４ａの表示名４ｄ（エロー）の種子３ｂが接着された培養土塊３が収容されている状態である。
【００３３】
よって、表示部４ａの表示部側識別表示４ｃ（数字の１）と苗床部８の苗床部側識別表示８ｂ（数字の１）とを見比べることにより、培養土塊３が、数字の１が設けられている苗床部８の収容凹部８ａに収容されていて、なおかつ培養土塊３に接着されている種子３ｂの種類がエローという種類のパンジーであり、表示図４ｂから花の形態を認識できる。
【００３４】
他の培養土塊３も同様な状態で収容されているので、各培養土塊３がどの苗床部８の収容凹部８ａに収容されていて、どの種類のパンジーの種子３ｂが接着されているか認識できる。
【００３５】
このように、各培養土塊３の収容位置と各培養土塊３に接着されている種子３ｂの種類との対応関係を極めて容易に認識することができるので、栽培セット１を非常に簡便に使用することができる。
【００３６】
そして、表示シート４が、表示部４ａが上になるように、栽培面７上に置かれて、本体穴１０と蓋体突起１４及び、本体突起部１１と蓋体溝１５とを互いにはめあわせて、蓋体６が栽培面７、つまり苗床部８を覆うように閉じられている。
【００３７】
このため、蓋体６が外れにくくなり、培養土塊３が収容凹部８ａにしっかりと位置されるので、培養土塊３が培養土塊収容容器２の外に出てしまう恐れがなくなる。よって、培養土塊３を安心して培養土塊収容容器２の中に収容しておくことができ、なおかつ運びやすくすることができる。
【００３８】
さらに、蓋体６によって外部からの衝撃を抑えるとともに、外気を遮断することができるので、培養土塊３の保存性を高めることができる。
【００３９】
また、培養土塊収容容器２の引っかけ穴１４を、例えば壁に止められたピンに引っかけることができる。よって、栽培セット１を所定の場所に置いておく他に、所定場所に掛けておくことも可能となるため、栽培セット１の保存場所の範囲を広げることができる。
【００４０】
また、培養土塊収容容器２が透明な材質で作られているので、蓋体６と容器本体５とに挟まれて設けられている表示シート４を視認できる。よって、蓋体６を開けなくても、培養土塊収容容器２に収容されている培養土塊３の種子３ｂの種類を容易に視認できる。
【００４１】
次に、栽培セット１を使用する際には、蓋体６を開けて表示シート４を取り出して水やりを行う。水やりの方法は、１２の収容凹部８ａの中で任意の一つの収容凹部８ａの隙間８ｃから水を注いで行う。
【００４２】
これにより、注いだ水が収容凹部８ａ一面に張られる。よって、注いだ水の量を容易に認識することができるので、水のやり過ぎを抑えることができる。
【００４３】
また同時に、注いだ水が全ての収容凹部８ａに行き渡る。よって、各収容凹部８ａごとに水やりをしなくても済むので水やりの手間を軽減することができる。
【００４４】
そして、水やり後は、培養土塊３が水を吸って膨張しても、隙間８ｃがあることにより、培養土塊３が収容凹部８ａの外にでてしまう恐れがなくなるので、安心して苗作りを行うことができる。
【００４５】
また、種子３ｂが培養土塊３の表面に接着されているので、種子３ｂを容易に視認することができる。よって、種子３ｂが発芽して苗になる生育状況を容易に把握することができるので、安心して花卉栽培を行うことができる。
【００４６】
このように、栽培セット１は、培養土塊収容容器２に、種子３ｂが接着された播種済みの培養土塊３が予め収容されているので、播種が不要となり水やりだけですぐに苗作りを行うことができる。よって、苗作りの手間が非常に軽減されるので、極めて手軽に花卉栽培を行うことができる。
【００４７】
なお、本実施の形態においては、栽培セット１を用いたが、種子３ｂが接着された培養土塊３だけを用いて苗作りを行う場合であっても、播種が不要となるため、苗作りの手間が軽減され、手軽に花卉栽培を行うことができる。また、培養土塊３と培養土塊収容容器２を別々に用意して苗作りを行う場合でも十分な効果を得ることができる。そして、培養土塊３の形状は、培養土塊収容容器２に収容することができれば、特に限定されない。
【００４８】
また、培養土塊収容容器２では、取っ手部１３を容器本体５の上部に設けたが、容器本体５の下部または左端部に設けてもよい。そして、苗床部側識別表示８ｂを容器本体に設けたが、蓋体６に設けてもよい。また、収容凹部８ａの形状及び大きさと深さは、培養土塊３を収容することができれば限定されない。
【００４９】
また、栽培セット１では、収容されている培養土塊３に接着した種子の種類が全て異なってなくてもよい。
【００５０】
また、表示シート４が培養土塊収容容器２の容器本体５と蓋体６との間に挟まれて設けられていたが、蓋体６に設けられていてもよく、表示シート４の大きさや形態は、培養土塊収容容器２とセットにすることができれば特に限定されない。また表示部４ａには、表示名４ｄのみが設けられていても培養土塊３の収容位置と接着されている種子３ｂの種類の対応関係を十分認識できる。
【００５１】
【発明の効果】
以上説明したように本発明によれば、培養土塊を用いて苗作りを行う際に播種が不要となるので、苗作りの手間を軽減することができる。従って、手軽に花卉栽培を行うことができる。
【００５２】
さらに、限られた数の中で多種類で多色の花卉を栽培したい場合には、栽培したい花卉の種子が接着された各種の培養土塊を必要な分だけそれぞれ購入することができる。よって、種類別に売られている各種の種子袋をそれぞれ購入して栽培する場合に比べて種子を無駄にすることがなく、あまり費用をかけずに多種類で多色の花卉を栽培することができる。
【００５３】
また、培養土塊に種子を容易に視認できるように接着したので、種子が発芽して苗になる生育状況を容易に把握することができ、安心して花卉栽培を行うことができる。
【００５４】
また、培養土塊収容容器に培養土塊を収容して苗作りを行うので、種子と培養土と鉢を別々に用意しなくても済み、より手軽に花卉栽培を行うことができる。
【００５５】
さらに、それぞれ種類の異なる種子が接着された各培養土塊を、前記各苗床部にそれぞれ収容することができるので、多種類で多色の花卉を一度に栽培することができる。
【００５６】
また、培養土塊収容容器においては、苗床部と培養土塊との隙間から水やりを行うことにより、苗床部一面に水を張ることができるようにした。よって、注いだ水の量を容易に認識することができるので、水のやり過ぎを抑えることができる。
【００５７】
さらに、水やり後に培養土塊が水を吸って膨張しても、隙間があることによって培養土塊が苗床部の外に出てしまう恐れがなくなるので、安心して水やりを行うことができる。
【００５８】
また、培養土塊収容容器においては、複数の苗床部の中で任意の一つの苗床部に水やりを行うことにより、全ての苗床部に水が行き渡るようにしたので、各苗床部ごとに水やりをしなくても済む。よって、水やりの手間を軽減することができる。
【００５９】
加えて、蓋体を閉じることにより苗床部に収容される培養土塊が前記苗床部にしっかりと位置されるので、培養土塊が培養土塊収容容器の外にでてしまう恐れがなくなる。よって、培養土塊を安心して収容することができ、なおかつ運びやすくすることができる。
【００６０】
さらに、蓋体によって外部からの衝撃を抑えるとともに、外気を遮断することができるので、培養土塊の保存性を高めることができる。
【００６１】
また、水やりだけで苗作りをすぐに行うことができるので、極めて手軽に花卉栽培を行うことができる。
【００６２】
また、それぞれ種類の異なる種子が接着された各培養土塊が、培養土塊収容容器に収容されている場合には、多種類で多色の花卉を一度に手軽に栽培できる。
【００６３】
また、表示シートにより培養土塊の収容位置と培養土塊に接着されている種子の種類との対応関係を容易に認識することができるので、栽培セットを簡便に使用できる。
【００６４】
また、培養土塊の収容位置と培養土塊に接着されている種子の種類との対応関係を認識する手段が増えることにより、培養土塊の認識度が高くなる。従って、栽培セットをより簡便に使用できる。
【００６５】
【図面の簡単な説明】
【図１】本発明の一実施の形態を示す栽培セットの構成を示す平面図である。
【図２】培養土塊収容容器の拡大図である。
【図３】図２のＡ−Ａ断面図である。
【図４】培養土塊の斜視図である。
【図５】表示シートの拡大図である。
【符号の説明】
１    栽培セット
２    培養土塊収容容器
３    培養土塊
３ａ  表面
３ｂ  種子
４    表示シート
４ａ  表示部
４ｂ  表示図
４ｃ  表示部側識別表示
４ｄ  表示名
５    容器本体
６    蓋体
７    栽培面
８    苗床部
８ａ  収容凹部
８ｂ  苗床部側識別表示
９    連結溝
【図１】
0004027516.tif 000002
【図２】
0004027516.tif 000003
【図３】
0004027516.tif 000004
【図４】
0004027516.tif 000005
【図５】
0004027516.tif 000006